【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
反射型ディスプレイ装置であって、下記を具備する：
第１の表面を有する基板；
前記第１の表面と反対側の前記基板の第２の表面上に配置された複数の反射型ディスプレイ素子；及び
前記基板及び前記反射型ディスプレイ素子と光通信し、前記第１の表面に斜めである経路に沿って発せられる光の少なくとも一部分を前記基板及び反射型ディスプレイ素子の中へと向きを変える複数の光リダイレクタ。
【請求項２】
前記反射型ディスプレイ素子は、光干渉変調器を含む、請求項１の装置。
【請求項３】
前記光リダイレクタは、前記第１の表面上に配置された膜の内部に組み込まれる、請求項１の装置。
【請求項４】
前記複数の反射型ディスプレイ素子と電気通信するプロセッサ、前記プロセッサは画像データを処理するように構成される；及び
前記プロセッサと電気通信するメモリ・デバイス、
を更に具備する、請求項１の装置。
【請求項５】
少なくとも１つの信号を前記複数の反射型ディスプレイ素子へ送るように構成されたドライバ回路を更に具備する、請求項４の装置。
【請求項６】
前記画像データの少なくとも一部分を前記ドライバ回路へ送るように構成されたコントローラを更に具備する、請求項５の装置。
【請求項７】
前記画像データを前記プロセッサへ送るように構成された画像ソース・モジュールを更に具備する、請求項４の装置。
【請求項８】
前記画像ソース・モジュールは、受信機、トランシーバ及び送信機のうちの少なくとも１つを具備する、請求項７の装置。
【請求項９】
入力データを受信し、そして前記入力データを前記プロセッサへ通信するように構成された入力デバイスを更に具備する、請求項４の装置。
【請求項１０】
反射型ディスプレイ装置であって、下記を具備する：
反射型画像コンテントを供給するための手段；
前記供給する手段を支持するための手段；及び
前記支持する手段に斜めである経路に沿って発せられる光を前記供給する手段の中へと向きを変えるための複数の手段。
【請求項１１】
前記供給する手段は、複数の反射型ディスプレイ素子である、請求項１０のディスプレイ。
【請求項１２】
前記反射型ディスプレイ素子は、光干渉変調器である、請求項１１のディスプレイ。
【請求項１３】
前記支持する手段は、基板である、請求項１０のディスプレイ。
【請求項１４】
前記向きを変える手段は、光リダイレクタである、請求項１０のディスプレイ。
【請求項１５】
反射型ディスプレイを製造する方法であって、下記を具備する：
基板の第１の表面上に複数の反射型ディスプレイ素子を配置すること；及び
前記基板及び反射型ディスプレイ素子と光通信し、前記第１の表面と反対側の前記基板の第２の表面に斜めである経路に沿って発せられる光の少なくとも一部分を前記基板及び前記反射型ディスプレイ素子の中へと向きを変える、ように複数の光リダイレクタを配置すること。
【請求項１６】
請求項１５のプロセスにより製造された、反射型ディスプレイ。
【請求項１７】
反射型ディスプレイを照明する方法であって、下記を具備する：
ディスプレイ・パネルに斜めである経路に沿って光を前記反射型ディスプレイ・パネルの上へと伝送させること；及び
向きを変えられた光が前記伝送される光よりも前記ディスプレイ・パネルに対して斜めの程度が少ない経路に沿って向けられるように、前記伝送される光の少なくとも一部分の向きを変えること。
【請求項１８】
前記伝送させることは、前記ディスプレイ・パネルに対し斜めの経路に沿って光を伝送させる光源を与えることを含む、請求項１７の方法。
【請求項１９】
反射型ディスプレイ装置であって、下記を具備する：
反射型画像コンテントを供給するための手段；
前記反射型画像を供給する手段に斜めである経路に沿って発せられる光の向きを変えるための手段；及び
前記向きを変える手段に光を供給するための手段。
【請求項２０】
前記反射型画像を供給する手段は、複数の光干渉変調器である、請求項１９の装置。
【請求項２１】
前記向きを変える手段は、前記反射型画像を供給する手段と光通信する複数の光リダイレクタである、請求項１９の装置。
【請求項２２】
前記光を供給する手段は、光源である、請求項１９の装置。
【請求項２３】
反射型ディスプレイ装置であって、下記を具備する：
当該基板の第１の表面上に配置された複数の反射型ディスプレイ素子を有する基板；及び
前記第１の表面と反対側の前記基板の第２の表面を覆って配置された第１の材料、前記第１の材料は複数の光リダイレクタを具備する。
【請求項２４】
前記第１の材料上に配置された第２の材料を更に具備し、ここにおいて、前記第２の材料は前記第１の材料とは異なる屈折率を有する、請求項２３の装置。
【請求項２５】
前記基板中へと光を放射するために適した光源を更に具備する、請求項２３の装置。
【請求項２６】
前記第１の材料は、前記第２の表面上に配置される、請求項２３の装置。
【請求項２７】
前記光リダイレクタは、前記第１の材料上の不均一表面により規定され、前記光源により放射される光は前記第１の材料から前記反射型ディスプレイ素子の中へと反射される、請求項２３の装置。
【請求項２８】
前記反射型ディスプレイ素子は、光干渉変調器を含む、請求項２３の装置。
【請求項２９】
前記光リダイレクタは、溝を具備する、請求項２３の装置。
【請求項３０】
前記複数の反射型ディスプレイ素子と電気通信するプロセッサ、前記プロセッサは画像データを処理するように構成される；及び
前記プロセッサと電気通信するメモリ・デバイス、
を更に具備する、請求項２３の装置。
【請求項３１】
少なくとも１つの信号を前記複数の反射型ディスプレイ素子へ送るように構成されたドライバ回路を更に具備する、請求項３０の装置。
【請求項３２】
前記画像データの少なくとも一部分を前記ドライバ回路へ送るように構成されたコントローラを更に具備する、請求項３１の装置。
【請求項３３】
前記画像データを前記プロセッサへ送るように構成された画像ソース・モジュールを更に具備する、請求項３０の装置。
【請求項３４】
前記画像ソース・モジュールは、受信機、トランシーバ及び送信機のうちの少なくとも１つを具備する、請求項３３の装置。
【請求項３５】
入力データを受信し、そして前記入力データを前記プロセッサへ通信するように構成された入力デバイスを更に具備する、請求項３０の装置。
【請求項３６】
反射型ディスプレイ装置であって、下記を具備する：
反射方式で表示するための手段；
支持するための手段、前記表示する手段は前記支持する手段の第１の側の上に配置される；
前記支持する手段の第２の反対側の上に配置された光の向きを変えるための手段、前記光の向きを変える手段は第１の屈折率を有する。
【請求項３７】
前記光の向きを変える手段上に第２の屈折率を与えるための手段、を更に具備し、ここで、前記第２の屈折率は前記第１の屈折率とは異なる、請求項３６の装置。
【請求項３８】
前記反射方式で表示する手段は、複数の反射型ディスプレイ素子を具備する、請求項３６の装置。
【請求項３９】
前記支持する手段は、基板を具備する、請求項３６の装置。
【請求項４０】
前記光の向きを変える手段は、前記第１の反射率の第１の材料を具備する複数の光リダイレクタを具備する、請求項３６の装置。
【請求項４１】
前記与える手段は、前記第２の屈折率を有する第２の材料を具備する、請求項３７の装置。
【請求項４２】
前記複数の反射型ディスプレイ素子は、前記基板の第１の表面上に配置され、及び前記第１の材料は、前記第１の表面と反対側の前記基板の第２の表面を覆って配置される、請求項３８の装置。
【請求項４３】
前記光リダイレクタは、溝を具備する、請求項４０の装置。
【請求項４４】
反射型ディスプレイを製造する方法であって、下記を具備する：
基板の第１の表面上に複数の光干渉変調器を配置すること；
前記第１の表面と反対側の前記基板の第２の表面を覆って第１の材料を配置すること、前記第１の材料は複数の光リダイレクタを具備する。
【請求項４５】
前記第１の材料上に第２の材料を配置すること、を更に具備し、ここにおいて、前記第２の材料は前記第１の材料とは異なる屈折率を有する、請求項４４の方法。
【請求項４６】
前記基板の中に向けて光を放射する光源を配置することを更に具備する、請求項４４の方法。
【請求項４７】
前記第１の材料は、前記基板の前記第２の表面上に配置される、請求項４４の方法。
【請求項４８】
前記光リダイレクタは、溝を具備する、請求項４４の方法。
【請求項４９】
請求項４４から４７のいずれかのプロセスにより製造された反射型ディスプレイ。
【請求項５０】
反射型ディスプレイを製造する方法であって、下記を具備する：
基板上に複数の光干渉変調器を配置すること；及び
前記光干渉変調器と光通信する複数の光リダイレクタを配置すること、前記光リダイレクタは前記光リダイレクタ上に入射する光の少なくとも一部分を前記光干渉変調器の中へと向きを変えるように構成される。
【請求項５１】
前記光リダイレクタは、溝を具備する、請求項５０の方法。
【請求項５２】
請求項５０又は５１の方法により製造された反射型ディスプレイ。
【請求項５３】
反射型ディスプレイ・システムであって、下記を具備する：
複数の反射型ディスプレイ素子；及び
前記ディスプレイ素子と光通信する位置に設置された蛍光材料又は燐光材料であって、かつ前記材料が、第１の波長を有する光を吸収し、そして前記第１の波長とは異なる第２の波長の光を前記反射型ディスプレイ素子の中に向けて放射するように構成される。
【請求項５４】
前記第１の波長は、人間の眼には見えない、請求項５３のシステム。
【請求項５５】
前記反射型ディスプレイ素子は、光干渉変調器を含む、請求項５３のシステム。
【請求項５６】
前記蛍光材料又は燐光材料は、２以上の異なる型の蛍光体又は燐光体を含む、請求項５３のシステム。
【請求項５７】
前記蛍光材料又は燐光材料の一部分の表面上に配置された光を吸収する材料を更に具備する、請求項５３のシステム。
【請求項５８】
前記光を吸収する材料は、前記第１の波長の光を吸収する、請求項５７のシステム。
【請求項５９】
前記光を吸収する材料は、前記第２の波長の光を吸収する、請求項５７のシステム。
【請求項６０】
前記第１の波長を有する光を放射する光源を更に具備する、請求項５３のシステム。
【請求項６１】
前記光源は、ＬＥＤを含む、請求項６０のシステム。
【請求項６２】
前記光源は、コンパクト蛍光光源を含む、請求項６０のシステム。
【請求項６３】
前記複数の反射型ディスプレイ素子と電気通信するプロセッサ、前記プロセッサは画像データを処理するように構成される；及び
前記プロセッサと電気通信するメモリ・デバイス、
を更に具備する、請求項５３のシステム。
【請求項６４】
前記複数の反射型ディスプレイ素子に少なくとも１つの信号を送るように構成されたドライバ回路を更に具備する、請求項６３のシステム。
【請求項６５】
前記画像データの少なくとも一部分を前記ドライバ回路へ送るように構成されたコントローラを更に具備する、請求項６４のシステム。
【請求項６６】
前記画像データを前記プロセッサへ送るように構成された画像ソース・モジュールを更に具備する、請求項６３のシステム。
【請求項６７】
前記画像ソース・モジュールは、受信機、トランシーバ及び送信機のうちの少なくとも１つを具備する、請求項６６のシステム。
【請求項６８】
入力データを受信し、そして前記入力データを前記プロセッサへ通信するように構成された入力デバイスを更に具備する、請求項６３のシステム。
【請求項６９】
反射型ディスプレイ・システムであって、下記を具備する：
反射型画像コンテントを供給するための手段；
第１の波長を有する光を吸収し、そして前記第１の波長とは異なる第２の波長を有する光を前記供給する手段の上に向けて放射するための手段。
【請求項７０】
前記供給する手段は、複数の反射型ディスプレイ素子を具備する、請求項６９のシステム。
【請求項７１】
前記反射型ディスプレイ素子は、光干渉変調器である、請求項７１のシステム。
【請求項７２】
前記吸収する手段は、蛍光材料又は燐光材料を具備する、請求項６９のシステム。
【請求項７３】
反射型ディスプレイを照明する方法であって、下記を具備する：
光の少なくとも一部分を吸収する蛍光材料又は燐光材料の上に向けて前記光を伝送すること；及び
前記伝送された光とは異なる波長を有する光を前記蛍光材料又は燐光材料から反射型ディスプレイ素子の上に向けて放射すること。
【請求項７４】
前記伝送される光は、人間の眼には見えない波長の光である、請求項７３の方法。
【請求項７５】
前記伝送することは、前記反射型ディスプレイ素子の非反射性表面に面する光源を与えることを含む、請求項７３の方法。
【請求項７６】
反射型ディスプレイ・システムを製造する方法であって、下記を具備する、
複数の反射型ディスプレイ素子と光通信する蛍光材料又は燐光材料を配置すること、ここにおいて、前記材料は、第１の波長を有する光を吸収し、そして前記第１の波長とは異なる第２の波長を有する光を前記反射型ディスプレイ素子の中に向けて放射する。
【請求項７７】
請求項７６のプロセスにより製造された反射型ディスプレイ・システム。
【請求項７８】
光干渉変調器ディスプレイ装置であって、下記を具備する：
入射光が反射される前面を有する複数の光干渉変調器；
前記光干渉変調器の反射面を支持する少なくとも部分的に光学的に伝送可能な複数の支柱；及び
前記支柱と位置合せされた複数の光リダイレクタ。
【請求項７９】
前記光干渉変調器の前記前面と反対側に配置された光源を更に具備する、請求項７８の装置。
【請求項８０】
前記光干渉変調器が上に配置される基板を更に具備し、ここにおいて、前記光リダイレクタは、前記基板の内部に配置される、請求項７８の装置。
【請求項８１】
前記光干渉変調器が上に配置される基板を更に具備し、ここにおいて、前記光リダイレクタは、前記基板の上に配置される、請求項７８の装置。
【請求項８２】
前記光リダイレクタは、前記支柱の内部に配置される、請求項７８の装置。
【請求項８３】
前記光リダイレクタは、少なくとも部分的に反射性表面を含む、請求項７８の装置。
【請求項８４】
前記光リダイレクタは、散乱中心を含む、請求項７８の装置。
【請求項８５】
前記光リダイレクタは、前記光源からの光を吸収し、そして前記吸収した光とは異なる波長で光を放射する蛍光材料又は燐光材料を含む、請求項７８の装置。
【請求項８６】
前記吸収した光は、人間の眼には見えない波長を有する、請求項８５の装置。
【請求項８７】
前記複数の光干渉変調器と電気通信するプロセッサ、前記プロセッサは画像データを処理するように構成される；及び
前記プロセッサと電気通信するメモリ・デバイス、
を更に具備する、請求項７８の装置。
【請求項８８】
少なくとも１つの信号を前記複数の光干渉変調器へ送るように構成されたドライバ回路を更に具備する、請求項８７の装置。
【請求項８９】
前記画像データの少なくとも一部分を前記ドライバ回路へ送るように構成されたコントローラを更に具備する、請求項８８の装置。
【請求項９０】
前記画像データを前記プロセッサへ送るように構成された画像ソース・モジュールを更に具備する、請求項８７の装置。
【請求項９１】
前記画像ソース・モジュールは、受信機、トランシーバ及び送信機のうちの少なくとも１つを具備する、請求項９０の装置。
【請求項９２】
入力データを受信し、そして前記入力データを前記プロセッサへ通信するように構成された入力デバイスを更に具備する、請求項８７の装置。
【請求項９３】
光干渉変調器ディスプレイ装置であって、下記を具備する：
反射型画像コンテントを供給するための手段、前記供給する手段は第１の反射するための手段及び第２の反射するための手段を具備する；
前記第１の反射する手段を支持するための手段、前記支持する手段は前記第１の反射する手段をギャップにより前記第２の反射する手段から分離する、前記支持する手段は光を伝達する；及び
前記支持する手段により伝達される光の向きを変えるための手段。
【請求項９４】
前記支持する手段に光を供給するための手段を更に具備する、請求項９３の装置。
【請求項９５】
画像コンテントを供給する手段は、複数の光干渉変調器を具備する、請求項９３の装置。
【請求項９６】
支持する手段は、少なくとも部分的に光学的に伝送可能な複数の支柱を具備する、請求項９３の装置。
【請求項９７】
前記第１の反射する手段及び前記第２の反射する手段は、反射性表面を具備する、請求項９３の装置。
【請求項９８】
前記光の向きを変える手段は、前記支持する手段と位置合せされた複数の光リダイレクタを具備する、請求項９３の装置。
【請求項９９】
前記光を供給する手段は、光源を具備する、請求項９４の装置。
【請求項１００】
光干渉変調器ディスプレイ装置であって、下記を具備する：
基板；
前記基板上に配置され、そして入射光が反射される前面を有する複数の光干渉変調器；
前記光干渉変調器の反射性表面を支持する少なくとも部分的に光学的に伝送可能な複数の支柱；及び
前記基板の上に又は中に配置された複数の光リダイレクタ。
【請求項１０１】
前記光干渉変調器の前面と反対側に配置された光源を更に具備する、請求項１００の装置。
【請求項１０２】
前記光リダイレクタは、前記支柱と位置合せされる、請求項１００の装置。
【請求項１０３】
反射型ディスプレイを照明する方法であって、下記を具備する：
少なくとも部分的に光学的に伝送可能な複数の支柱を通して光を前記基板の中に向けて伝送させること、ここにおいて、前記支柱は、前記基板上に配置された複数の光干渉変調器の反射性表面を支持する；及び
前記伝送された光の少なくとも一部分を前記光干渉変調器の中へと向きを変えること。
【請求項１０４】
前記向きを変えることは、前記基板から向きを変えることを具備する、請求項１０３の方法。
【請求項１０５】
前記伝送することは、前記光干渉変調器の背後に光源を与えることを含む、請求項１０３の方法。
【請求項１０６】
光干渉変調器ディスプレイを製造する方法であって、下記を具備する：
複数の光干渉変調器の反射性表面を支持するために少なくとも部分的に光学的に伝送可能な複数の支柱を形成すること、前記光干渉変調器は入射光が反射される前面を有する；及び
前記支柱と位置合せされるように複数の光リダイレクタを配置すること。
【請求項１０７】
前記光干渉変調器の前記前面と反対側に光源を配置することを更に具備する、請求項１０６の方法。
【請求項１０８】
請求項１０６又は１０７のプロセスにより製造されたディスプレイ。
【請求項１０９】
反射型ディスプレイを照明するためのシステムであって、下記を具備する：
第１の表面を具備する反射型ディスプレイ；
前記反射型ディスプレイの前面に置かれるように構成され、複数の光リダイレクタを含むディスプレイ・カバー、前記ディスプレイ・カバーは前記反射型ディスプレイの前記第１の表面に面するように構成された表面を有し、前記光リダイレクタは前記カバーの前記表面上に配置され、前記ディスプレイの前記第１の表面と前記カバーの前記表面との間にギャップがある；及び
前記ディスプレイ・カバーに斜めである経路に沿って前記ディスプレイ・カバーの前記表面上に向けて前記ギャップを通り光を伝送するように構成された光源、ここにおいて、前記光リダイレクタは、入射光の少なくとも一部を前記反射型ディスプレイの前記第１の表面上へと向きを変えるように構成される。
【請求項１１０】
反射型ディスプレイを照明する方法であって、下記を具備する：
ディスプレイ・カバーの表面上へと前記カバーに斜めである経路に沿って光を伝送すること、前記ディスプレイ・カバーの前記表面は反射型ディスプレイの第１の表面に面し、前記ディスプレイの前記第１の表面と前記カバーの前記表面との間にギャップがある、ここにおいて、前記光は前記ギャップを通り伝送される；及び
前記カバーの前記表面上に配置された複数の光リダイレクタを使用して前記伝送された光の少なくとも一部分を前記反射型ディスプレイの第２の表面へと向きを変えること。
【請求項１１１】
前記向きを変えることは、前記伝送された光を反射することを含む、請求項１１０の方法。
【請求項１１２】
前記向きを変えることは、前記伝送された光を散乱することを含む、請求項１１０の方法。
【請求項１１３】
前記向きを変えることは：
蛍光材料又は燐光材料の中に前記伝送された光を吸収すること；及び
前記蛍光材料又は燐光材料から前記吸収された光の少なくとも一部分を放射すること、
を含む、請求項１１０の方法。
【請求項１１４】
前記伝送することは、人間の眼には見えない波長を有する光を伝送することを含む、請求項１１３の方法。
【請求項１１５】
前記伝送することは、前記カバーに斜めの経路に沿って前記ギャップを通り光を伝送する光源を与えることを含む、請求項１１０の方法。
【請求項１１６】
反射型ディスプレイを照明するためのシステムを製造する方法であって、下記を具備する：
複数の光リダイレクタを含むカバーを設けること、前記カバーは表面を有し、前記光リダイレクタは前記カバーの前記表面上に配置される；
前記カバーの前記表面が前記ディスプレイの前面に面するように、前記カバーの前記表面と前記ディスプレイの第１の表面との間にギャップを置いて前記反射型ディスプレイの前面に前記カバーを配置すること；及び
前記ディスプレイ・カバーに斜めである経路に沿って前記ディスプレイ・カバーの前記表面上へと前記ギャップを通り光を伝送するために光源を配置すること、ここにおいて、前記光リダイレクタは、入射光の少なくとも一部分を前記反射型ディスプレイの前記前面上へと向きを変えるように構成される。
【請求項１１７】
請求項１１６の方法により製造された反射型ディスプレイを照明するためのシステム。